(57)【要約】【課題】  高齢者に対して十分な医療行為の機会を保障すると共に、患者の病状の診断や、患者に対する治療方針の精度の向上を図る。【解決手段】  医療機器1A1〜1Anと、撮像装置1Bと、正常値の範囲内に存在するデータを含む映像データは、正常値の範囲を外れたデータと比較してデータ量を削減した状態で、モバイル通信回線を介して送信する患者側端末装置1Cと、患者側端末装置1Cから送信された映像データと画像データとを受信するインターフェース部1D1と、映像データと画像データとが表示される複数のウインドウを含む画面内で、正常値の範囲を外れたデータに関するウインドウのみを拡大して表示画面1D6に表示させる表示制御部1D5とを備える医師側端末装置1Dとを備える。【選択図】図２
2009294800.tif 000002
【特許請求の範囲】
【請求項１】
医療行為の対象となる患者からバイタルデータを検出する複数の医療機器と、
前記患者を撮像する撮像装置と、
前記各医療機器によって検出されたバイタルデータを含む検出データを映像データに変換し、変換の結果、得られた映像データと、前記撮像装置により撮像された画像データとを、前記各医療機器によって検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線を介して送信する患者側端末装置と、
前記患者側端末装置からモバイル通信回線を介して送信された映像データと、前記撮像装置により撮像された画像データとを受信するバイタルデータ受信手段と、前記バイタルデータ受信手段により受信された各バイタルデータを含む映像データと前記撮像装置により撮像された画像データとが各々表示される複数のウインドウを含むバイタルデータ表示画面を表示する表示手段と、前記バイタルデータ受信手段により受信された各バイタルデータのうち、予め定められた正常値の範囲を外れたバイタルデータが存在する場合に、前記バイタルデータ表示画面内の正常値の範囲を外れたバイタルデータに関するウインドウのみを拡大表示させた状態で前記表示手段に表示させる表示制御手段とを備える医師側端末装置と
を備えた医療支援システム。
【請求項２】
前記医師側端末装置は、
前記バイタルデータ受信手段により受信された各バイタルデータのうち、予め定められた正常値の範囲を外れたバイタルデータが存在する場合に、前記バイタルデータ表示画面内の正常値の範囲を外れたバイタルデータに関するウインドウのみを点滅表示させた状態で前記表示手段に表示させる請求項１に記載の医療支援システム。
【請求項３】
前記医師側端末装置は、
前記バイタルデータ受信手段により受信された各バイタルデータのうち、予め定められた正常値の範囲を外れたバイタルデータが存在する場合に、前記バイタルデータ表示画面内に含まれる正常値の範囲を外れたバイタルデータに関するウインドウを前記バイタルデータ表示画面内の所定の領域に表示させた状態で前記表示手段に表示させる請求項１に記載の医療支援システム。
【請求項４】
前記医師側端末装置は、
前記バイタルデータ受信手段により受信された各バイタルデータのうち、予め定められた正常値の範囲を外れたバイタルデータが存在する場合に、前記バイタルデータ表示画面内に含まれる各バイタルデータに関するウインドウのうち何れかのウインドウを選択可能な状態で前記表示手段に表示させる請求項１に記載の医療支援システム。
【請求項５】
前記医師側端末装置は、
前記バイタルデータ受信手段により受信された各バイタルデータのうち、予め定められた正常値の範囲を外れたバイタルデータが存在する場合に、前記バイタルデータ表示画面内に含まれる正常値の範囲を外れたバイタルデータに関するウインドウを選択可能な状態で前記表示手段に表示させる請求項１に記載の医療支援システム。
【請求項６】
患者側端末装置は、
前記各医療機器によって検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較して映像データの解像度を低下させた状態で、得られた映像データと、前記撮像装置により撮像された画像データとを、モバイル通信回線を介して送信する請求項１に記載の医療支援システム。
【請求項７】
患者側端末装置は、
前記各医療機器によって検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してフレームレートを低下させた状態で、得られた映像データと、前記撮像装置により撮像された画像データとを、モバイル通信回線を介して送信する請求項１に記載の医療支援システム。
【請求項８】
患者側端末装置は、
音声を入力するための第１のマイクロフォンと、
前記医師側端末装置からモバイル通信回線を介して送信された音声データを出力する第１のスピーカーとを備え、
前記医師側端末装置は、
音声を入力するための第２のマイクロフォンと、
前記患者側端末装置からモバイル通信回線を介して送信された音声データを出力する第２のスピーカーとを備える請求項１乃至請求項７の何れか１項に記載の医療支援システム。
【請求項９】
医療行為の対象となる患者からバイタルデータを検出するバイタルデータ検出工程と、
前記患者を撮像する患者画像撮像工程と、
前記検出されたバイタルデータの検出値が予め定められた正常値の範囲内にあるかを判定する異常有無判定工程と、
前記検出されたバイタルデータを含む検出データを映像データに変換し、変換の結果、得られた映像データと、前記撮像された画像データとを、前記検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線を介して送信するデータ送信工程と、
前記モバイル通信回線を介して送信された映像データと、前記撮像された画像データとを受信するデータ受信工程と、
前記データ受信工程で受信された各バイタルデータを含む映像データと、前記撮像された画像データとが各々表示される複数のウインドウを含むバイタルデータ表示画面を表示手段に表示させるバイタルデータ表示工程と、
前記データ受信工程で受信された各バイタルデータのうち、予め定められた正常値の範囲を外れたバイタルデータが存在する場合に、前記バイタルデータ表示画面内の正常値の範囲を外れたバイタルデータに関するウインドウのみを拡大表示させた状態で前記表示手段に表示させる異常データ表示工程と
を含む医療支援方法。
【請求項１０】
前記異常データ表示工程では、
前記データ受信工程で受信された各バイタルデータのうち、予め定められた正常値の範囲を外れたバイタルデータが存在する場合に、前記バイタルデータ表示画面内の正常値の範囲を外れたバイタルデータに関するウインドウのみを点滅表示させた状態で前記表示手段に表示させる請求項９に記載の医療支援方法。
【請求項１１】
前記異常データ表示工程では、
前記データ受信ステップで受信された各バイタルデータのうち、予め定められた正常値の範囲を外れたバイタルデータが存在する場合に、前記バイタルデータ表示画面内に含まれる正常値の範囲を外れたバイタルデータに関するウインドウを前記バイタルデータ表示画面内の所定の領域に表示させた状態で前記表示手段に表示させる請求項９に記載の医療支援方法。
【請求項１２】
前記異常データ表示工程では、
前記データ受信工程で受信された各バイタルデータのうち、予め定められた正常値の範囲を外れたバイタルデータが存在する場合に、前記バイタルデータ表示画面内に含まれる各バイタルデータに関するウインドウのうち何れかのウインドウを選択可能な状態で前記表示手段に表示させる請求項９に記載の医療支援方法。
【請求項１３】
前記異常データ表示工程では、
前記バイタルデータ受信手段により受信された各バイタルデータのうち、予め定められた正常値の範囲を外れたバイタルデータが存在する場合に、前記バイタルデータ表示画面内に含まれる正常値の範囲を外れたバイタルデータに関するウインドウを選択可能な状態で前記表示手段に表示させる請求項９に記載の医療支援方法。
【請求項１４】
前記データ送信工程では、
前記検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較して映像データの解像度を低下させた状態で、得られた映像データと、前記撮像された画像データとを、モバイル通信回線を介して送信する請求項９に記載の医療支援方法。
【請求項１５】
前記データ送信工程では、
前記検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してフレームレートを低下させた状態で、得られた映像データと、前記撮像された画像データとを、モバイル通信回線を介して送信する請求項９に記載の医療支援方法。
【発明の詳細な説明】
【技術分野】
【０００１】
本発明は、例えば脳波、心電図等のバイタルデータを含む映像データと、患者の画像データと、マイクロフォンによって入力された音声データとを、例えば携帯電話の通信回線等のモバイル通信回線を介して、患者側の端末装置から医師側の端末装置に送信する医療支援システム、及び医療支援方法に関する。
【背景技術】
【０００２】
従来、医療現場においてなされる医療行為に関連して、医療機器によって検出されたバイタルデータに異常が発生した場合に、医療機器によって検出されたバイタルデータに異常が発生したことを医療行為のなされている医療現場とは離れた遠隔地にいる医師に対して電子メールで通知することが可能な医療支援システムが知られている（特許文献１参照）。
【特許文献１】特開２００３−３２３４９５号公報
【発明の開示】
【発明が解決しようとする課題】
【０００３】
近年、高齢化社会の急速な進展に伴い、例えば高齢者が何らかの疾患を罹患した場合や外傷を負った場合であっても、既存の医療機関内に高齢者のベッドを確保することが極めて困難になりつつある。
【０００４】
また、医師の絶対数が慢性的に不足しているので、例えば僻地等においては、高齢者が医師による十分な診療を受けられない事態が発生する可能性がある。
【０００５】
かかる事態を改善する手法としては、患者の自宅等から遠隔地にある医療機関で医師によってなされた診断や、決定された治療方針に基づいて、例えば看護士、救命救急士、介護福祉士、訪問介護員といった医師資格を持たない者に、医療機関から遠隔地にある各患者の自宅等で医療行為を行わせることが考えられる。
【０００６】
しかしながら、特許文献１に開示された医療支援システムでは、医療現場で医療機器によって検出されたバイタルデータに異常が発生した場合に、医療機器によって検出されたバイタルデータに異常が発生したことを医療現場とは離れた遠隔地にいる医師に対して電子メールで通知するだけであるので、患者の病状の診断や患者に対する治療方針の決定を行う医師が、対象となる患者に対する情報を十分に得ることが出来ない可能性がある。
【０００７】
一般に、患者の病状の診断や、患者に対する治療方針の決定を行う医師が対象となる患者に対する情報を十分に得るためには、高解像度の画像データによることが好ましいと考えられるが、一般家庭においては、画像データ等の大容量のデータを送信することが可能な光ファイバー等の高速通信回線が十分に完備されているとは言えない。
【０００８】
本発明者の医療行為に関する詳細なる考察によれば、高齢者に対して十分な医療行為の機会を保障する観点から、一般家庭に広く普及している携帯電話やＰＨＳ（Ｐｅｒｓｏｎａｌ Ｈａｎｄｙｐｈｏｎｅ Ｓｙｓｔｅｍ）等で使用されているモバイル通信回線を用いて、各患者の自宅等で撮影した画像データ、医療機器によって検出されたバイタルデータを含む画像データを、各患者の自宅等から遠隔地にある医療機関の医師に伝達することによって、ネットワーク帯域の細いモバイル通信回線を使用した場合であっても、高齢者に対して十分な医療行為の機会を保障すると共に、患者の病状の診断や、患者に対する治療方針の精度の向上を図ることを可能にする医療支援システム及び医療支援方法に対する産業界の要請が高まっている。
【０００９】
そこで、本発明は、高齢者に対して十分な医療行為の機会を保障すると共に、患者の病状の診断や、患者に対する治療方針の精度の向上を図ることを可能にする医療支援システム及び医療支援方法を提供することを目的とする。
【課題を解決するための手段】
【００１０】
本発明の骨子は、「映像データと、撮像された画像データとを、検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線を介して送信」する構成により、高齢者に対して十分な医療行為の機会を保障すると共に、患者の病状の診断や、患者に対する治療方針の精度の向上を図ることを可能にするという効果を達成することにある。
【００１１】
なお、本明細書では、「医療機器」とは、その機器の人体等に及ぼす危険度に応じ、国際機関であるＧＨＴＦ（Ｇｌｏｂａｌ Ｈａｒｍｏｎｉｚａｔｉｏｎ Ｔａｓｋ Ｆｏｒｃｅ：医療機器規制国際整合化会議）の定めるルールに基づいてクラス分類がなされている機器を総称したものであり、クラス１に分類される医療機器、換言すれば一般医療機器、クラス２に分類される医療機器、換言すれば管理医療機器、クラス３に分類される医療機器、換言すれば高度管理医療機器、クラス４に分類される医療機器、換言すれば高度管理医療機器に属する各種医療機器、クラスに関わらず、保守管理に特別の技術が必要とされる特定保守管理医療機器、及び特定保守管理医療機器の中で設置に特別の技術等が必要とされる設置管理医療機器等の全ての医療機器を包含している。
【００１２】
なお、本明細書では、「バイタルデータ」とは、医療機器によって生体から検出されたデータを意味し、例えば、血圧のデータ、心拍数のデータ、心電図の波形図のデータ等を包含する。
【００１３】
また、本明細書では、「モバイル通信回線」とは、例えば、携帯電話の通信回線、ＰＨＳの通信回線、公衆無線ＬＡＮサービスで用いられている通信回線等の全ての通信回線を包含する。
【００１４】
以上のような本発明の骨子は、具体的には、以下のような手段を講じることにより実現される。
【００１５】
第１の発明は、医療行為の対象となる患者からバイタルデータを検出する複数の医療機器と、患者を撮像する撮像装置と、各医療機器によって検出されたバイタルデータを含む検出データを映像データに変換し、変換の結果、得られた映像データと、撮像装置により撮像された画像データとを、各医療機器によって検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線を介して送信する患者側端末装置と、患者側端末装置からモバイル通信回線を介して送信された映像データと、撮像装置により撮像された画像データとを受信するバイタルデータ受信手段と、バイタルデータ受信手段により受信された各バイタルデータを含む映像データと撮像装置により撮像された画像データとが各々表示される複数のウインドウを含むバイタルデータ表示画面を表示する表示手段と、バイタルデータ受信手段により受信された各バイタルデータのうち、予め定められた正常値の範囲を外れたバイタルデータが存在する場合に、バイタルデータ表示画面内の正常値の範囲を外れたバイタルデータに関するウインドウのみを拡大表示させた状態で表示手段に表示させる表示制御手段とを備える医師側端末装置とを備えた医療支援システムである。
【００１６】
これにより、各医療機器によって検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線を介して送信されるので、正常値の範囲を外れたバイタルデータを含む映像データの送信のためにモバイル通信回線を使用することが出来るため、患者の病状の診断や、患者に対する治療方針の決定に寄与するデータである正常値の範囲を外れたバイタルデータを含む映像データを、患者の病状の診断や、患者に対する治療方針の決定に寄与しないデータである正常値の範囲内のバイタルデータを含む映像データよりも優先的に、ネットワーク帯域の細いモバイル通信回線を使用して遠隔地にある医療機関の医師に伝達することが出来る。
【００１７】
この結果、本発明によれば、ネットワーク帯域の細いモバイル通信回線を使用した場合であっても、高齢者に対して十分な医療行為の機会を保障すると共に、患者の病状の診断や、患者に対する治療方針の精度の向上を図ることが可能になる。
【００１８】
第２の発明は、医療行為の対象となる患者からバイタルデータを検出するバイタルデータ検出工程と、患者を撮像する患者画像撮像工程と、検出されたバイタルデータの検出値が予め定められた正常値の範囲内にあるかを判定する異常有無判定工程と、検出されたバイタルデータを含む検出データを映像データに変換し、変換の結果、得られた映像データと、撮像された画像データとを、検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線を介して送信するデータ送信工程と、モバイル通信回線を介して送信された映像データと、撮像された画像データとを受信するデータ受信工程と、データ受信工程で受信された各バイタルデータを含む映像データと、撮像された画像データとが各々表示される複数のウインドウを含むバイタルデータ表示画面を表示手段に表示させるバイタルデータ表示工程と、データ受信工程で受信された各バイタルデータのうち、予め定められた正常値の範囲を外れたバイタルデータが存在する場合に、バイタルデータ表示画面内の正常値の範囲を外れたバイタルデータに関するウインドウのみを拡大表示させた状態で表示手段に表示させる異常データ表示工程とを含む医療支援方法である。
【００１９】
これにより、各医療機器によって検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線を介して送信されるので、正常値の範囲を外れたバイタルデータを含む映像データの送信のためにモバイル通信回線を使用することが出来るため、患者の病状の診断や、患者に対する治療方針の決定に寄与するデータである正常値の範囲を外れたバイタルデータを含む映像データを、患者の病状の診断や、患者に対する治療方針の決定に寄与しないデータである正常値の範囲内のバイタルデータを含む映像データよりも優先的に、ネットワーク帯域の細いモバイル通信回線を使用して遠隔地にある医療機関の医師に伝達することが出来る。
【００２０】
この結果、本発明によれば、ネットワーク帯域の細いモバイル通信回線を使用した場合であっても、高齢者に対して十分な医療行為の機会を保障すると共に、患者の病状の診断や、患者に対する治療方針の精度の向上を図ることが可能になる。
【００２１】
なお、ここでは、説明の簡略化を図る観点から、本発明のうち「システム」、及び「方法」として表現された発明のみに関して説明を行ったが、これに限らず、本発明の要旨を変更しない範囲内で「プログラム」及び「記録媒体」等の任意のカテゴリーとして表現してもよいことは言うまでもない。
【００２２】
また、前記発明を「プログラム」として表現する場合には、前記「方法」の発明の説明中における「工程」という文言を「手順」と言う文言に読み替えるとともに、「とを含むことを特徴とする医療支援方法」という文言を「を前記医療支援システムを構成する各装置のコンピュータに実行させるためのプログラム」と言う文言に読み替え、かつ、「前記医療支援システムを構成する各装置のコンピュータにインストールされたプログラムであって、」というプリアンブルを新たに付加するものとする。
【００２３】
更に、前記発明を「記録媒体」として表現する場合には、前記「プログラム」の発明の説明中の「プログラム」という文言を「プログラムを記録したコンピュータ読み取り可能な記録媒体」という文言に読み替えるものとする。
【発明の効果】
【００２４】
本発明によれば、検出されたバイタルデータのうちに、予め定められた正常値の範囲を外れたバイタルデータが存在する場合に、患者の病状の診断や患者に対する治療方針の決定に寄与するデータである正常値の範囲を外れたバイタルデータを含む映像データを、患者の病状の診断や患者に対する治療方針の決定に寄与しないデータである正常値の範囲内のバイタルデータを含む映像データよりも優先的に、ネットワーク帯域の細いモバイル通信回線を使用して遠隔地にある医療機関の医師に伝達することが出来るので、ネットワーク帯域の細いモバイル通信回線を使用した場合であっても、高齢者に対して十分な医療行為の機会を保障すると共に、患者の病状の診断や、患者に対する治療方針の精度の向上を図ることが可能になる。
【発明を実施するための最良の形態】
【００２５】
以下、本発明の最良の形態に関し、図面を参照して説明する。
【００２６】
図１は、本発明の一実施の形態に係る医療支援システム１の全体構成を示す模式図である。
【００２７】
図２は、本発明の一実施の形態に係る医療支援システム１の全体の詳細構成を示すブロック図である。
【００２８】
本実施の形態に係る医療支援システム１は、都市部等に存在する医療機関と、当該医療機関とは離れた遠隔地に存在する患者の自宅等との間で、例えば携帯電話の通信回線、ＰＨＳの通信回線、公衆無線ＬＡＮサービスで用いられている通信回線等のモバイル通信回線を用いて、パケット通信（Ｐａｃｋｅｔ Ｔｒａｎｓｍｉｓｓｉｏｎ）によって医療用の画像データと、患者の画像データ、及びマイクロフォンから送信された音声のデータとをリアルタイム送信するためのシステムである。
【００２９】
本実施の形態に係る医療支援システム１は、複数の医療機器１Ａ１〜１Ａｎと、撮像装置１Ｂと、患者側端末装置１Ｃと、モバイル通信回線ＭＢＮＴを介して患者側端末装置１Ｃと接続された医師側端末装置１Ｄとから構成される。
【００３０】
なお、本実施の形態に係る医療支援システム１に関する説明では、説明を本発明のポイントに絞ると共に、説明の簡略化を図る観点から、患者側端末装置１Ｃと、医師側端末装置１Ｄとの間に存在する周知の装置である患者の自宅等の近傍をセルとする基地局、携帯ネットワーク、携帯ネットワークサーバ装置、ＷＷＷサーバ装置、ファイヤウォールサーバ装置等に関してはその記載を省略している。
【００３１】
また、本実施の形態に係る医療支援システム１に関し、モバイル通信回線ＭＢＮＴは、Ｅｔｈｅｒｎｅｔ（登録商標），無線ＬＡＮによるネットワークに変更してもよいことは言うまでもない。
【００３２】
各医療機器１Ａ１〜１Ａｎは、看護士、介護福祉士、訪問介護員等の医師資格を有していない医療行為者が患者の自宅に持参して患者の自宅等に、当該医療機器１Ａ１〜１Ａｎと同様に医療行為者が患者の自宅に持参した患者側端末装置１Ｃと接続された状態で設置される装置であって、例えば血圧、心電図のデータ等のバイタルデータを患者から検出し、検出したバイタルデータの検出値のデータを含む映像信号と当該医療機器１Ａ１〜１Ａｎに割当てられた医療機器ＩＤとを図示しないコンポジット等の映像信号出力端子から患者側端末装置１Ｃに出力する。
【００３３】
なお、本実施の形態に係る各医療機器１Ａ１〜１Ａｎは、検出したバイタルデータをWindows（登録商標）等のファイルシステムのフォーマットに準拠したファイルの形式で図示しないＵＳＢフラッシュメモリやＣＦカードに記憶させ、バイタルデータを記憶させた図示しないＵＳＢフラッシュメモリやＣＦカードが患者側端末装置１Ｃのインターフェースに装着された場合に、バイタルデータを患者側端末装置１Ｃに出力するようにしてもよいことは言うまでもない。
【００３４】
撮像装置１Ｂは、ベッド又は布団等に仰臥する患者が撮影範囲に入る位置に前述した患者側端末装置１Ｃと接続された状態で設置され、患者の状態を時系列に沿って撮像し、撮像の結果、得られた画像データを図示しないコンポジットの映像信号出力端子から患者側端末装置１Ｃに出力する。
【００３５】
なお、撮像装置１Ｂとしては、例えば、コンポジット等の映像出力端子を有するビデオカメラを用いてもよい。
【００３６】
患者側端末装置１Ｃは、正常値データ記憶部１Ｃ１、第１のインターフェース部１Ｃ２、第２のインターフェース部１Ｃ３、マイクロフォン１Ｃ４、異常有無判定部１Ｃ５、データ量削減処理実行部１Ｃ６、パケット生成部１Ｃ７、送受信アンテナ１Ｃ８、パリティチェック部１Ｃ９、音声信号処理部１Ｃ１０、スピーカ１Ｃ１１を有している。
【００３７】
正常値データ記憶部１Ｃ１には、医療機器１Ａ１〜１ＡｎのＩＤに関するデータと、医療機器１Ａ１〜１Ａｎ毎の正常値の範囲のデータとが少なくとも対応して記憶されている。
【００３８】
第１のインターフェース部１Ｃ２は、各医療機器１Ａ１〜１Ａｎから出力されたバイタルデータを含む映像信号を受け取るためのインターフェースであり、入力された映像データを異常有無判定部１Ｃ５に出力する。
【００３９】
第２のインターフェース部１Ｃ３は、撮像装置１Ｂから出力された画像データを受け取るためのインターフェースであり、入力された画像データを異常有無判定部１Ｃ５に出力する。
【００４０】
マイクロフォン１Ｃ４は、患者の自宅内の音声を集音し、集音した音声データを異常有無判定部１Ｃ５に出力する。
【００４１】
異常有無判定部１Ｃ５は、各医療機器１Ａ１〜１Ａｎから出力されたバイタルデータを受け取ると、各バイタルデータに関する正常値の範囲が記憶された正常値データ記憶部１Ｃ１から各バイタルデータに関する正常値の範囲のデータを読み出し、各医療機器１Ａ１〜１Ａｎの検出したバイタルデータがバイタルデータの正常値の範囲内にあるかを判定する機能と、前述した判定の結果、医療機器１Ａ１〜１Ａｎの検出したバイタルデータがバイタルデータの正常値の範囲内にないと判定された場合には、正常値の範囲にないバイタルデータに関しては、バイタルデータが正常値の範囲にないことを示す異常有り情報を正常値の範囲にないバイタルデータに付与し、正常値の範囲にあるバイタルデータに関しては、バイタルデータが正常値の範囲にあることを示す異常無し情報を正常値の範囲にあるバイタルデータに付与し、異常有り情報が付与された医療機器１Ａ１〜１ＡｎのＩＤと、当該医療機器１Ａ１〜１Ａｎによって検出されたバイタルデータと、異常無し情報が付与された医療機器１Ａ１〜１ＡｎのＩＤと、当該医療機器１Ａ１〜１Ａｎによって検出されたバイタルデータと、第２のインターフェース部１Ｃ３から受け取った画像データと、マイクロフォン１Ｃ４から受け取った音声データとをデータ量削減処理実行部１Ｃ６に出力する機能を有する。
【００４２】
データ量削減処理実行部１Ｃ６は、異常有無判定部１Ｃ５から受け取ったバイタルデータを含む画像データのうち、バイタルデータが正常値の範囲にあることを示す異常無し情報が付与されたバイタルデータを含む画像データのデータ量を削減した後、データ量を削減した正常値の範囲にあるバイタルデータを含む画像データと、バイタルデータが正常値の範囲にないことを示す異常有り情報が付与されたバイタルデータを含む画像データと、撮像装置１Ｂから出力された画像データと、マイクロフォン１Ｃ４から受け取った音声データとをパケット生成部１Ｃ７に出力する。
【００４３】
パケット生成部１Ｃ７は、データ量削減処理実行部１Ｃ６から受け取ったデータ量を削減した正常値の範囲にあるバイタルデータを含む画像データと、バイタルデータが正常値の範囲にないことを示す異常有り情報が付与されたバイタルデータを含む画像データと、撮像装置１Ｂから出力された画像データと、マイクロフォン１Ｃ４から受け取った音声データとから周知のパケット通信の手法に従って、画像データ、音声データを含むパケットを生成し、生成したパケットを送受信アンテナ１Ｃ８に出力する。
【００４４】
送受信アンテナ１Ｃ８は、パケット生成部１Ｃ７から受け取った画像データ、音声データを含むパケットを、基地局、及びモバイル通信回線ＭＢＮＴを介して医師側端末装置１Ｄに送信する機能と、医師側端末装置１Ｄから基地局、及びモバイル通信回線ＭＢＮＴを介して送信された音声データを含むパケットを受信する機能とを有する。
【００４５】
パリティチェック部１Ｃ９は、送受信アンテナ１Ｃ８から受け取ったパケットのＦＣＳ（Ｆｒａｍｅ Ｃｈｅｃｋ Ｓｅｑｕｅｎｃｅ）を用いて周知の誤り検出及びパリティチェックとを実行した後、パケット内のペイロードに含まれる音声データを抽出し、抽出した音声データを音声信号処理部１Ｃ１０に出力する。
【００４６】
音声信号処理部１Ｃ１０は、送受信アンテナ１Ｃ８から受け取った音声データに所定の音声信号処理を実行した後、スピーカ１Ｃ１１から出力させる。
【００４７】
スピーカ１Ｃ１１は、医師側端末装置１Ｄから送信された音声データを出力する。
【００４８】
なお、本実施の形態に係る患者側端末装置１Ｃは、マイクロフォンを内蔵していたが、これに限らず、マイクロフォンと患者側端末装置とは別体として設けてもよいことは言うまでもない。
【００４９】
なお、本実施の形態に係る患者側端末装置１Ｃは、ＵＳＢフラッシュメモリ、ＣＦカード等のリムーバブルメディアを装着するためのインターフェースを更に有していてもよい。
【００５０】
医師側端末装置１Ｄは、周知のパーソナルコンピュータであり、インターフェース部１Ｄ１と、マイクロフォン１Ｄ２と、パケット生成部１Ｄ３と、テンプレートファイル記憶部１Ｄ４と、表示制御部１Ｄ５と、表示画面１Ｄ６と、音声信号処理部１Ｄ７と、スピーカ１Ｄ８とを備えている。
【００５１】
インターフェース部１Ｄ１は、患者側端末装置１Ｃからモバイル通信回線ＭＢＮＴを介して送信された画像データ、音声データを含むパケットを受け取り、受け取ったパケットのＦＣＳ（Ｆｒａｍｅ Ｃｈｅｃｋ Ｓｅｑｕｅｎｃｅ）を用いて周知の誤り検出及びパリティチェックとを実行した後、パケット内のペイロードに含まれる画像データと音声データとを抽出し、抽出した画像データを表示制御部１Ｄ５に、抽出した音声データを音声信号処理部１Ｄ７に出力する機能と、パケット生成部１Ｄ３から受け取った音声データを含むパケットをモバイル通信回線ＭＢＮＴ及び基地局を介して患者側端末装置１Ｃに送信する機能とを有する。
【００５２】
マイクロフォン１Ｄ２は、医師の音声を集音し、集音した音声データをパケット生成部１Ｄ３に出力する。
【００５３】
パケット生成部１Ｄ３は、マイクロフォン１Ｄ２から受け取った音声データから周知のパケット通信の手法に従って、音声データを含むパケットを生成し、生成したパケットをインターフェース部１Ｄ１に出力する。
【００５４】
テンプレートファイル記憶部１Ｄ４には、バイタルデータ表示画面のテンプレートファイルが記憶されている。
【００５５】
表示制御部１Ｄ５は、インターフェース部１Ｄ１から出力された画像データを受け取ると、バイタルデータ表示画面のテンプレートファイルをテンプレートファイル記憶部１Ｄ４から読み出した後、バイタルデータを含む画像データと、バイタルデータ表示画面のテンプレートファイルとからバイタルデータ毎の複数のウインドウのうち、正常値の範囲内にないバイタルデータを含むウインドウのみを拡大したバイタルデータ表示画面のデータを生成して、生成したバイタルデータ表示画面を表示画面１Ｄ６に表示させる。
【００５６】
表示画面１Ｄ６には、正常値の範囲を外れたバイタルデータが存在する場合に、正常値の範囲を外れたバイタルデータに関するウインドウのみを拡大表示させたバイタルデータ表示画面を表示する。
【００５７】
音声信号処理部１Ｄ７は、インターフェース部１Ｄ１から受け取った音声データに所定の音声信号処理を実行した後、スピーカ１Ｄ８から出力させる。
【００５８】
スピーカ１Ｄ８は、患者側端末装置１Ｃから送信された音声データを出力する。
【００５９】
次に、以上のように構成された医療支援システム１の実行処理に関し、図面を参照して説明する。
【００６０】
始めに、本実施の形態に係る医療支援システム１を構成する患者側端末装置１Ｃの実行処理に関して説明する。
【００６１】
図３は、本実施の形態に係る医療支援システム１を構成する患者側端末装置１Ｃの実行処理を説明するためのフローチャートである。
【００６２】
始めに、各医療機器１Ａ１〜１Ａｎは、例えば血圧、心電図のデータ等のバイタルデータを患者から検出し、検出したバイタルデータの検出値のデータを含む映像信号と当該医療機器１Ａ１〜１Ａｎに割当てられた医療機器ＩＤとを図示しないコンポジット等の映像信号出力端子から患者側端末装置１Ｃに出力する（A１）。
【００６３】
なお、本実施の形態に係る各医療機器１Ａ１〜１Ａｎは、検出したバイタルデータをWindows（登録商標）等のファイルシステムのフォーマットに準拠したファイルの形式で図示しないＵＳＢフラッシュメモリやＣＦカードに記憶させ、バイタルデータを記憶させた図示しないＵＳＢフラッシュメモリやＣＦカードが患者側端末装置１Ｃのインターフェースに装着された場合に、バイタルデータを患者側端末装置１Ｃに出力するようにしてもよいことは言うまでもない。
【００６４】
工程A２では、撮像装置１Ｂは、患者の状態を時系列に沿って撮像し、撮像の結果、得られた画像データを図示しないコンポジットの映像信号出力端子から患者側端末装置１Ｃに出力する。
【００６５】
なお、撮像装置１Ｂとしては、例えば、コンポジット等の映像出力端子を有するビデオカメラを用いてもよい。
【００６６】
なお、本実施の形態に係る医療支援システム１では、説明の便宜上、血圧、心電図のデータ等のバイタルデータを患者から検出し、検出したバイタルデータの検出値のデータを含む映像信号と当該医療機器１Ａ１〜１Ａｎに割当てられた医療機器ＩＤとを図示しないコンポジット等の映像信号出力端子から患者側端末装置１Ｃに出力するバイタルデータ検出処理を各医療機器１Ａ１〜１Ａｎが実行した後、患者の状態を時系列に沿って撮像し、撮像の結果、得られた画像データを図示しないコンポジットの映像信号出力端子から患者側端末装置１Ｃに出力する撮像処理を撮像装置１Ｂが実行するものとして説明したが、患者の状態を時系列に沿って撮像し、撮像の結果、得られた画像データを図示しないコンポジットの映像信号出力端子から患者側端末装置１Ｃに出力する撮像処理を撮像装置１Ｂが実行した後、血圧、心電図のデータ等のバイタルデータを患者から検出し、検出したバイタルデータの検出値のデータを含む映像信号と当該医療機器１Ａ１〜１Ａｎに割当てられた医療機器ＩＤとを図示しないコンポジット等の映像信号出力端子から患者側端末装置１Ｃに出力するバイタルデータ検出処理を行ってもよいし、バイタルデータ検出処理と、撮像処理とは時間的に同時に実行されていてもよいことは言うまでもない。
【００６７】
工程A３では、第１のインターフェース部１Ｃ２は、バイタルデータを含む映像信号を各医療機器１Ａ１〜１Ａｎから受け取る。
【００６８】
工程A４では、第２のインターフェース部１Ｃ３は、画像データを撮像装置１Ｂから受け取る。
【００６９】
工程A５では、マイクロフォン１Ｃ４は、患者の自宅内の音声を集音する。
【００７０】
なお、本実施の形態に係る医療支援システム１では、説明の便宜上、第１のインターフェース部１Ｃ２がバイタルデータを含む映像信号を各医療機器１Ａ１〜１Ａｎから受け取る処理を実行した後、第２のインターフェース部１Ｃ３が画像データを撮像装置１Ｂから受け取る処理を実行し、しかる後、マイクロフォン１Ｃ４が患者の自宅内の音声を集音する処理を実行するものとして説明したが、第１のインターフェース部１Ｃ２がバイタルデータを含む映像信号を各医療機器１Ａ１〜１Ａｎから受け取る処理、第２のインターフェース部１Ｃ３が画像データを撮像装置１Ｂから受け取る処理、マイクロフォン１Ｃ４が患者の自宅内の音声を集音する処理の実行順序は任意であるし、第１のインターフェース部１Ｃ２がバイタルデータを含む映像信号を各医療機器１Ａ１〜１Ａｎから受け取る処理、第２のインターフェース部１Ｃ３が画像データを撮像装置１Ｂから受け取る処理、マイクロフォン１Ｃ４が患者の自宅内の音声を集音する処理を同時に実行してもよいことは言うまでもない。
【００７１】
工程A６では、異常有無判定部１Ｃ５は、各医療機器１Ａ１〜１Ａｎから出力されたバイタルデータを受け取ると、医療機器１Ａ１〜１ＡｎのＩＤに関するデータと、医療機器１Ａ１〜１Ａｎ毎の正常値の範囲のデータとが少なくとも対応して記憶された正常値データ記憶部１Ｃ１から各バイタルデータに関する正常値の範囲のデータを読み出し、各医療機器１Ａ１〜１Ａｎの検出したバイタルデータがバイタルデータの正常値の範囲内にあるかを判定する。
【００７２】
異常有無判定部１Ｃ５は、前述した工程A６で、医療機器１Ａ１〜１Ａｎの検出したバイタルデータのうち、バイタルデータの正常値の範囲内にないバイタルデータがあると判定された場合には（A６：Ｙｅｓ）、正常値の範囲にないバイタルデータに関して、バイタルデータが正常値の範囲にないことを示す異常有り情報を正常値の範囲にないバイタルデータに付与し、正常値の範囲にあるバイタルデータに関しては、バイタルデータが正常値の範囲にあることを示す異常無し情報を正常値の範囲にあるバイタルデータに付与し、異常有り情報が付与された医療機器のＩＤと、当該医療機器によって検出されたバイタルデータと、異常無し情報が付与された医療機器のＩＤと、当該医療機器１Ａ１〜１Ａｎによって検出されたバイタルデータと、第２のインターフェース部１Ｃ３から受け取った画像データと、マイクロフォン１Ｃ４から受け取った音声データとをデータ量削減処理実行部１Ｃ６に出力する（A７）。
【００７３】
一方、異常有無判定部１Ｃ５は、前述した工程A６で、医療機器１Ａ１〜１Ａｎの検出した全てのバイタルデータがバイタルデータの正常値の範囲内にあると判定された場合には（A６：Ｎｏ）、正常値の範囲にあるバイタルデータに関しては、バイタルデータが正常値の範囲にあることを示す異常無し情報を正常値の範囲にあるバイタルデータに付与し、異常無し情報が付与された医療機器のＩＤと、当該医療機器１Ａ１〜１Ａｎによって検出されたバイタルデータと、第２のインターフェース部１Ｃ３から受け取った画像データと、マイクロフォン１Ｃ４から受け取った音声データとをデータ量削減処理実行部１Ｃ６に出力する（A８）。
【００７４】
工程A９では、データ量削減処理実行部１Ｃ６は、異常有無判定部１Ｃ５から受け取ったバイタルデータを含む画像データのうち、バイタルデータが正常値の範囲にあることを示す異常無し情報が付与されたバイタルデータを含む画像データのデータ量を削減した後、データ量を削減した正常値の範囲にあるバイタルデータを含む画像データと、バイタルデータが正常値の範囲にないことを示す異常有り情報が付与されたバイタルデータを含む画像データと、撮像装置１Ｂから出力された画像データと、マイクロフォン１Ｃ４から受け取った音声データとをパケット生成部１Ｃ７に出力する。
【００７５】
なお、本実施の形態に係るデータ量削減処理実行部１Ｃ６がバイタルデータが正常値の範囲にあることを示す異常無し情報が付与されたバイタルデータを含む画像データのデータ量を削減する手法としては、例えば、正常値の範囲内に存在するバイタルデータを含む映像データに関して正常値の範囲を外れたバイタルデータと比較して映像データの解像度を低下させる処理を実行してもよい。
【００７６】
また、本実施の形態に係るデータ量削減処理実行部１Ｃ６がバイタルデータが正常値の範囲にあることを示す異常無し情報が付与されたバイタルデータを含む画像データのデータ量を削減する手法としては、例えば、正常値の範囲内に存在するバイタルデータを含む映像データに関して、正常値の範囲を外れたバイタルデータと比較してフレームレートを低下させる処理を実行してもよい。
【００７７】
工程A１０では、パケット生成部１Ｃ７は、データ量削減処理実行部１Ｃ６から受け取ったデータ量を削減した正常値の範囲にあるバイタルデータを含む画像データと、バイタルデータが正常値の範囲にないことを示す異常有り情報が付与されたバイタルデータを含む画像データと、撮像装置１Ｂから出力された画像データと、マイクロフォン１Ｃ４から受け取った音声データとから周知のパケット通信の手法に従って、画像データ、音声データを含むパケットを生成し、生成したパケットを送受信アンテナ１Ｃ８に出力する。
【００７８】
工程A１１では、送受信アンテナ１Ｃ８は、パケット生成部１Ｃ７から受け取った画像データ、音声データを含むパケットを、基地局、及びモバイル通信回線ＭＢＮＴを介して医師側端末装置１Ｄに送信する。
【００７９】
以上の一連の処理により、本実施の形態に係る患者側端末装置１Ｃは、その実行処理を終了する。
【００８０】
次に、実施の形態に係る医療支援システム１を構成する医師側端末装置１Ｄの実行処理に関して説明する。
【００８１】
図４は、本実施の形態に係る医療支援システム１を構成する医師側端末装置１Ｄの実行処理を説明するためのフローチャートである。
【００８２】
始めに、インターフェース部１Ｄ１は、患者側端末装置１Ｃからモバイル通信回線ＭＢＮＴを介して送信された画像データ、音声データを含むパケットを受け取り、受け取ったパケットのＦＣＳ（Ｆｒａｍｅ Ｃｈｅｃｋ Ｓｅｑｕｅｎｃｅ）を用いて周知の誤り検出及びパリティチェックとを実行した後、パケット内のペイロードに含まれる画像データと音声データとを抽出し、抽出した画像データを表示制御部１Ｄ５に、抽出した音声データを音声信号処理部１Ｄ７に出力する（Ｂ１）。
【００８３】
次に、表示制御部１Ｄ５は、インターフェース部１Ｄ１から出力された画像データを受け取ると、バイタルデータ表示画面のテンプレートファイルをテンプレートファイル記憶部１Ｄ４から読み出した後、バイタルデータを含む画像データと、バイタルデータ表示画面のテンプレートファイルとからバイタルデータ毎の複数のウインドウのうち、正常値の範囲内にないバイタルデータを含むウインドウのみを拡大したバイタルデータ表示画面のデータを生成して、生成したバイタルデータ表示画面を表示画面１Ｄ６に表示させる（Ｂ２）。
【００８４】
図５は、本実施の形態に係るバイタルデータ表示画面の一例を示す模式図である。
【００８５】
本実施の形態に係るバイタルデータ表示画面には、予め指定されたバイタルデータを含むウインドウ、ここではバイタルデータＡを含むウインドウ、バイタルデータＢを含むウインドウ、バイタルデータＣを含むウインドウ、バイタルデータＤを含むウインドウ、バイタルデータＥを含むウインドウ、バイタルデータＦを含むウインドウ、バイタルデータＧを含むウインドウと、正常値の範囲にないバイタルデータが含まれる前述したバイタルＡ乃至バイタルデータＧを含むウインドウの大きさよりも大きく拡大されたウインドウとが含まれている。
【００８６】
なお、本実施の形態に係るバイタルデータ表示画面では、正常値の範囲にないバイタルデータが含まれる、正常値の範囲にあるバイタルＡ乃至バイタルデータＧを含むウインドウの大きさよりも大きく拡大されたウインドウを含んでいたが、これに限らず、正常値の範囲にないバイタルデータが含まれるウインドウを点滅表示（ブリンク表示）させてもよいことは言うまでもない。
【００８７】
また、本実施の形態に係るバイタルデータ表示画面では、バイタルを含むウインドウの数は、任意の数に設定することが可能である。
【００８８】
更に、本実施の形態に係るバイタルデータ表示画面では、正常値の範囲にないバイタルデータが含まれる、正常値の範囲にあるバイタルＡ乃至バイタルデータＧを含むウインドウの大きさよりも大きく拡大されたウインドウを表示する位置を任意の位置に設定することも可能である。この場合、正常値の範囲内にあるバイタルデータを含むウインドウの大きさよりも大きく拡大された正常値の範囲内にないバイタルデータを含むウインドウには、正常値の範囲内にあるバイタルデータを含むウインドウに含まれる画像よりも高画質の映像データを表示することがより好ましい。
【００８９】
また、本実施の形態に係るバイタルデータ表示画面では、各バイタルデータのうち、予め定められた正常値の範囲を外れたバイタルデータが存在する場合に、当該バイタルデータ表示画面に含まれる各バイタルデータに関するウインドウのうち何れかのウインドウを選択可能な状態で表示画面に表示させてもよいことは言うまでもない。
【００９０】
更に、本実施の形態に係るバイタルデータ表示画面では、各バイタルデータのうち、予め定められた正常値の範囲を外れたバイタルデータが存在する場合に、当該バイタルデータ表示画面内に含まれる正常値の範囲を外れたバイタルデータに関するウインドウを選択可能な状態で表示画面に表示させてもよいことはいうまでもない。
【００９１】
以上のような一連の処理により、本実施の形態に係る医療支援システム１を構成する医師側端末装置１Ｄは、その実行処理を終了する。
【００９２】
上述したように、本実施の形態に係る医療支援システム１によれば、各医療機器１Ａ１〜１Ａｎによって検出されたバイタルデータのうちに、予め定められた正常値の範囲を外れたバイタルデータが存在する場合に、正常値の範囲内に存在するバイタルデータを含む映像データに関しては、正常値の範囲を外れたバイタルデータと比較してデータ量を削減した状態で、モバイル通信回線ＭＢＮＴを介して送信されるので、正常値の範囲を外れたバイタルデータを含む映像データの送信のためにモバイル通信回線ＭＢＮＴを使用することが出来るため、患者の病状の診断や、患者に対する治療方針の決定に寄与するデータである正常値の範囲を外れたバイタルデータを含む映像データを、患者の病状の診断や、患者に対する治療方針の決定に寄与しないデータである正常値の範囲内のバイタルデータを含む映像データよりも優先的に、ネットワーク帯域の細いモバイル通信回線を使用して遠隔地にある医療機関の医師に伝達することが出来る。
【００９３】
この結果、本実施の形態に係る医療支援システム１によれば、ネットワーク帯域の細いモバイル通信回線を使用した場合であっても、高齢者に対して十分な医療行為の機会を保障すると共に、患者の病状の診断や、患者に対する治療方針の精度の向上を図ることが可能になる。
【００９４】
また、本実施の形態に係る医療支援システム１によれば、各医療機器１Ａ１〜１Ａｎによって検出されたバイタルデータのうちに、予め定められた正常値の範囲を外れたバイタルデータが存在する場合に、医師側端末装置１Ｄの表示画面１Ｄ６に表示されたバイタルデータ表示画面に含まれる複数のウインドウのうち、正常値の範囲を外れたバイタルデータを含む画像データのウインドウを拡大表示したり、特定の領域であるホットスポットに表示したり、正常値の範囲を外れたバイタルデータを含む画像データのウインドウを点滅表示させたりすることによって、データ量を落とした分を補填して医師の患者の病状に対する診断を容易にすることが出来るため、携帯電話の通信回線を用いた場合であっても、高度な遠隔医療を実現することが可能になる。
【００９５】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【００９６】
その他、本発明は、その要旨を逸脱しない範囲内で種々変更して実施することが出来る。
【図面の簡単な説明】
【００９７】
【図１】本発明の一実施の形態に係る医療支援システム１の全体構成を示す模式図である。
【図２】本発明の一実施の形態に係る医療支援システム１の全体の詳細構成を示すブロック図である。
【図３】本実施の形態に係る医療支援システム１を構成する患者側端末装置１Ｃの実行処理を説明するためのフローチャートである。
【図４】本実施の形態に係る医療支援システム１を構成する医師側端末装置１Ｄの実行処理を説明するためのフローチャートである。
【図５】本実施の形態に係るバイタルデータ表示画面の一例を示す模式図である。
【符号の説明】
【００９８】
１  医療支援システム、１Ａ１〜１Ａｎ  医療機器、１Ｂ  撮像装置、１Ｃ  患者側端末装置、１Ｃ１  正常値データ記憶部、１Ｃ２  第１のインターフェース部、１Ｃ３  第２のインターフェース部、１Ｃ４  マイクロフォン、１Ｃ５  異常有無判定部、１Ｃ６  データ量削減処理実行部、１Ｃ７  パケット生成部、１Ｃ８  送受信アンテナ、１Ｃ９  パリティチェック部、１Ｃ１０  音声信号処理部、１Ｃ１１  スピーカ、ＭＢＮＴ  モバイル通信回線、１Ｄ  医師側端末、１Ｄ１  インターフェース部、１Ｄ２  マイクロフォン、１Ｄ３  パケット生成部、１Ｄ４  テンプレートファイル記憶部、１Ｄ５  表示制御部、１Ｄ６  表示画面、１Ｄ７  音声信号処理部、１Ｄ８  スピーカ
【図１】
2009294800.tif 000003
【図２】
2009294800.tif 000004
【図３】
2009294800.tif 000005
【図４】
2009294800.tif 000006
【図５】
2009294800.tif 000007